(57)【要約】【課題】  車両で出かける際に目的別に必要となる物品の確認作業を容易かつ確実に行うことができる「物品管理システム」を提供すること。【解決手段】  物品管理システムは、目的地毎に必要な物品の一覧リストを格納する物品ＤＢ１１２と、車両走行の目的地を設定するナビゲーション装置３００と、車両の搭乗者が携行する物品を検出する物品検出部１１６と、目的地に対応して必要となる物品の一覧リストと実際に検出された物品とを比較して一覧リストに含まれている物品の中で不足している物品を判定する不足物品判定部１２０と、不足物品があるときに通知を行う通知部１２２とを備えている。【選択図】        図１
2006052044.tif 000002
【特許請求の範囲】
【請求項１】
目的地毎に必要な物品の一覧リストを格納する目的地別物品リスト格納手段と、
車両走行の目的地を設定する目的地設定手段と、
車両の搭乗者が携行する物品を検出する物品検出手段と、
前記目的地設定手段によって設定された目的地に対応して必要となる物品の一覧リストと、前記物品検出手段によって検出された物品とを比較し、前記一覧リストに含まれている物品の中で不足している物品を判定する不足物品判定手段と、
前記不足物品判定手段によって判定された不足物品があるときに通知を行う不足物品通知手段と、
を備えることを特徴とする物品管理システム。
【請求項２】
請求項１において、
前記不足物品通知手段は、不足物品リストを提示して前記通知を行うことを特徴とする物品管理システム。
【請求項３】
請求項２において、
前記不足物品通知手段による通知に含まれる前記不足物品リストには、各不足物品の必要度合いを示す情報が含まれていることを特徴とする物品管理システム。
【請求項４】
請求項２または３において、
前記不足物品リストに含まれる各物品の中で不必要なものを指定して、この指定された物品を前記不足物品リストの中から削除する物品削除手段をさらに備えることを特徴とする物品管理システム。
【請求項５】
請求項４において、
前記物品削除手段による削除内容に基づいて、前記目的地別物品リスト格納手段に格納された前記一覧リストの内容を更新する目的地物品リスト更新手段をさらに備えることを特徴とする物品管理システム。
【請求項６】
請求項１〜５のいずれかにおいて、
前記一覧リストを目的地毎に前記目的地別物品リスト格納手段に登録する目的地別物品リスト登録手段をさらに備えることを特徴とする物品管理システム。
【請求項７】
請求項６において、
利用者によって操作される操作手段をさらに備え、
前記目的地別物品リスト登録手段は、前記操作手段の操作内容に基づいて、前記一覧リストに対する物品の追加、削除、変更を含む編集を行うことを特徴とする物品管理システム。
【請求項８】
請求項１〜７のいずれかにおいて、
前記物品検出手段による検出対象となる物品には、物品情報が保持された無線タグが装着されており、
前記無線タグに保持された前記物品情報を無線方式で読み取る無線タグ読み取り装置をさらに備え、
前記物品検出手段は、前記無線タグ読み取り装置によって読み取られた前記物品情報に基づいて物品の検出を行うことを特徴とする物品管理システム。
【請求項９】
請求項８において、
前記無線タグ読み取り装置は、ほぼ矩形形状の水平断面を有する車室内空間の四隅に設置されていることを特徴とする物品管理システム。
【請求項１０】
請求項８において、
前記無線タグ読み取り装置は、車室内空間の天井中央に設置されていることを特徴とする物品管理システム。
【請求項１１】
請求項８〜１０のいずれかにおいて、
前記無線タグ読み取り装置は、車両のトランク内空間に設置されていることを特徴とする物品管理システム。
【請求項１２】
請求項１〜１１のいずれかにおいて、
前記物品検出手段は、前記目的地設定手段によって目的地が設定されたときに、物品の検出を行うことを特徴とする物品管理システム。
【請求項１３】
請求項１〜１１のいずれかにおいて、
前記物品検出手段は、車両走行開始時に、物品の検出を行うことを特徴とする物品管理システム。
【請求項１４】
請求項１〜１３のいずれかにおいて、
検索条件を指定して特定の施設を検索する施設検索手段を有するナビゲーション装置がさらに備わっており、
前記施設検索手段によって検索された施設を、前記目的地設定手段によって設定される目的地として用いることを特徴とする物品管理システム。
【請求項１５】
請求項１４において、
前記ナビゲーション装置は、前記施設検索手段によって検索された施設を経路探索の目的地に設定して経路探索処理を行う経路探索手段を有しており、
前記経路探索処理に設定された目的地を、前記目的地設定手段によって設定される目的地として用いることを特徴とする物品管理システム。
【請求項１６】
請求項１〜１３のいずれかにおいて、
前記目的地別物品リスト格納手段には、前記一覧リストに含まれる物品の取得が可能な施設に関する施設情報が含まれており、
前記不足物品通知手段による通知には、不足物品に対応する前記施設情報が含まれていることを特徴とする物品管理システム。
【請求項１７】
請求項１６において、
特定の施設を経路探索の目的地に設定して経路探索処理を行う経路探索手段を有するナビゲーション装置をさらに備えており、
前記経路探索手段は、前記不足物品が取得可能な施設を経路探索の経由地あるいは目的地として経路探索処理を行うことを特徴とする物品管理システム。
【発明の詳細な説明】
【技術分野】
【０００１】
本発明は、外出時に必要な物品をチェックする物品管理システムに関する。
【背景技術】
【０００２】
従来から、車両を運転して外出する際に、車載のディスプレイ装置に買い物リストを表示する買い物支援システムが知られている（例えば、特許文献１参照。）。このシステムでは、メモリカードに記憶させておいた買い物リストのデータを車載オーディオ装置で読み取ってその内容を表示することができる。利用者は、車室内に置いて買い物リストの内容を確認することができるため、買おうとしていた品物を買い忘れたり、重複して買ってしまうことがなくなる。
【特許文献１】特開２００２−１２３５５８号公報（第３−４頁、図１−４）
【発明の開示】
【発明が解決しようとする課題】
【０００３】
ところで、特許文献１に開示されたシステムでは、車載のディスプレイ装置に買い物リストを表示させたが、買い物リスト以外の物品リストを表示させることで、同じようにこの物品リストの内容を確認することができると考えられる。例えば、旅行に行く場合やレジャー施設を利用する際に必要な物品リストを表示させることで、車両に搭乗した際に忘れ物がないかどうかをチェックすることができる。
【０００４】
しかし、特許文献１に開示されたシステムでは、買い物リストを含む各種の物品リストが表示可能である場合に、そのときの目的が買い物なのか旅行なのかによって物品リストを選択する必要が生じるため、操作が煩雑になるという問題があった。使用する物品リストの内容を全て表示してもよいが、その場合には表示された全リストに含まれる物品の中から目的地別に必要な物品を利用者自身が選択することになるため、結局操作が煩雑なことに代わりがない。
【０００５】
また、物品リストが選択された後に、この物品リストに含まれる各物品を利用者自身が携行したり車両に荷物として持ち込んだかを確かめることになるため、この確かめる作業もかなり煩雑なものとなるという問題があった。例えば、キャンプに行くために各種のキャンプ用品を車両に積み込んだ際に、必要なキャンプ用品が本当に積み込まれているかを確かめるためには、バッグ等の中身を再度確認する必要がある。また、キャンプ用品のように数が多い場合には、いくら確認作業を行ったつもりでいてもうっかりミスを完全になくすことは難しい。
【０００６】
本発明は、このような点に鑑みて創作されたものであり、その目的は、車両で出かける際に目的別に必要となる物品の確認作業を容易かつ確実に行うことができる物品管理システムを提供することにある。
【課題を解決するための手段】
【０００７】
上述した課題を解決するために、本発明の物品管理システムは、目的地毎に必要な物品の一覧リストを格納する目的地別物品リスト格納手段と、車両走行の目的地を設定する目的地設定手段と、車両の搭乗者が携行する物品を検出する物品検出手段と、目的地設定手段によって設定された目的地に対応して必要となる物品の一覧リストと、物品検出手段によって検出された物品とを比較し、一覧リストに含まれている物品の中で不足している物品を判定する不足物品判定手段と、不足物品判定手段によって判定された不足物品があるときに通知を行う不足物品通知手段とを備えている。これにより、設定された目的地に対応して必要となる物品について、その時点で利用者が携帯している物品や車両に持ち込んだ物品で不足しているものがチェックされ、不足物品がある場合には通知が行われるため、利用者自身が目的地に対応してどのような物品が必要か、その時点で車両に持ち込むことを忘れている物品はないかなどをいちいち調べる必要がなく、煩雑な作業を行うことなく必要な物品の確認を容易かつ確実に行うことができる。
【０００８】
また、上述した不足物品通知手段は、不足物品リストを提示して通知を行うことが望ましい。これにより、不足物品リストを見るだけで何が不足しているかを知ることができ、リストと実際に車両に搭載された物品とを照合する手間を省くことができる。
【０００９】
また、上述した不足物品通知手段による通知に含まれる不足物品リストには、各不足物品の必要度合いを示す情報が含まれていることが望ましい。これにより、不足物品が多数存在する場合に優先的に揃える必要のある物品の抽出が容易となる。
【００１０】
また、上述した不足物品リストに含まれる各物品の中で不必要なものを指定して、この指定された物品を不足物品リストの中から削除する物品削除手段をさらに備えることが望ましい。これにより、不足物品と判定された場合であってもその中で不要なものを削除して通知されたリストから取り除くことができる。
【００１１】
また、上述した物品削除手段による削除内容に基づいて、目的地別物品リスト格納手段に格納された一覧リストの内容を更新する目的地物品リスト更新手段をさらに備えることが望ましい。これにより、次回から不要な物品を一覧リストから取り除くことができるため、不必要な通知をなくしてその通知内容を確認する際の手間を低減することが可能になる。
【００１２】
また、上述した一覧リストを目的地毎に目的地別物品リスト格納手段に登録する目的地別物品リスト登録手段をさらに備えることが望ましい。これにより、目的地に応じて一覧リストを追加登録することが可能になり、目的地が増えた場合にも不足物品を確認することが可能になる。
【００１３】
また、利用者によって操作される操作手段をさらに備え、目的地別物品リスト登録手段は、操作手段の操作内容に基づいて、一覧リストに対する物品の追加、削除、変更を含む編集を行うことが望ましい。これにより、目的地毎に必要な物品を追加したり不要な物品を削除して、利用者毎の利用計画等を反映した一覧リストを作成することが可能になり、通知内容の精度を高めることができる。
【００１４】
また、上述した物品検出手段による検出対象となる物品には、物品情報が保持された無線タグが装着されており、無線タグに保持された物品情報を無線方式で読み取る無線タグ読み取り装置をさらに備え、物品検出手段は、無線タグ読み取り装置によって読み取られた物品情報に基づいて物品の検出を行うことが望ましい。これにより、車内に持ち込まれた各物品を取り出すことなく物品情報を自動的に読み取ることが可能になり、物品情報を読み取る際の手間を省くことができる。
【００１５】
また、上述した無線タグ読み取り装置は、ほぼ矩形形状の水平断面を有する車室内空間の四隅に設置されていることが望ましい。これにより、車室内空間全体を管理領域とすることが容易となり、車室内に持ち込まれた全ての物品を検出することが可能になる。あるいは、上述した無線タグ読み取り装置は、車室内空間の天井中央に設置されていることが望ましい。これにより、無線タグ読み取り装置の数を減らすとともに広い管理領域を設定することが可能になる。また、上述した無線タグ読み取り装置は、車両のトランク内空間に設置されていることが望ましい。これにより、車室内ばかりでなくトランク内に収納された物品も確実に検出することができる。
【００１６】
また、上述した物品検出手段は、目的地設定手段によって目的地が設定されたときに、物品の検出を行うことが望ましい。これにより、目的地に応じて適切かつ迅速に物品の検査を行うことできる。
【００１７】
また、上述した物品検出手段は、車両走行開始時に、物品の検出を行うことが望ましい。これにより、車両が停車して再度走行を開始する毎に物品の検出が行われて不足物品が判定されるため、目的地に達するまでの経由地等での物品の置き忘れを防止することができる。
【００１８】
また、検索条件を指定して特定の施設を検索する施設検索手段を有するナビゲーション装置がさらに備わっており、施設検索手段によって検索された施設を、目的地設定手段によって設定される目的地として用いることが望ましい。これにより、ナビゲーション装置の施設検索機能を用いて抽出した施設を目的地として設定することが可能になり、複雑な操作を行うことなく所望の目的地を容易に設定することができる。
【００１９】
また、上述したナビゲーション装置は、施設検索手段によって検索された施設を経路探索の目的地に設定して経路探索処理を行う経路探索手段を有しており、経路探索処理に設定された目的地を、目的地設定手段によって設定される目的地として用いることが望ましい。これにより、ナビゲーション装置において経路探索処理を行う際に用いられる目的地を用いて不足物品検出に必要な目的地設定を行うことができ、設定操作を簡略化することができる。
【００２０】
また、上述した目的地別物品リスト格納手段には、一覧リストに含まれる物品の取得が可能な施設に関する施設情報が含まれており、不足物品通知手段による通知には、不足物品に対応する施設情報が含まれていることが望ましい。これにより、不足物品を速やかに補充することが可能になる。
【００２１】
また、特定の施設を経路探索の目的地に設定して経路探索処理を行う経路探索手段を有するナビゲーション装置をさらに備えており、経路探索手段は、不足物品が取得可能な施設を経路探索の経由地あるいは目的地として経路探索処理を行うことが望ましい。これにより、不足物品を補充する施設を考慮に入れて目的地までの最適な走行経路で車両を走行させることが可能になる。
【発明を実施するための最良の形態】
【００２２】
以下、本発明を適用した一実施形態の物品管理システムについて、図面を参照しながら説明する。
【００２３】
図１は、一実施形態の物品管理システムの全体構成を示す図である。図１に示すように、本実施形態の物品管理システムは、物品管理装置１００、ディスプレイ装置２００、ナビゲーション装置３００を含んで構成されている。
【００２４】
物品管理装置１００は、目的地が設定されたときに、この目的地に対応して必要となる物品について不足しているものを検出して通知を行っており、複数個（例えば４個）のＲＦＩＤリーダ１１０、物品ＤＢ（データベース）１１２、物品リスト編集部１１４、物品検出部１１６、検出開始指示部１１８、不足物品判定部１２０、通知部１２２、物品指定部１２４、操作部１３０を含んで構成されている。また、この物品管理装置１００には、各種の操作画面や通知情報の表示を行うディスプレイ装置２００と、車両が自宅として登録された位置にあるか否かを判定する機能を有するナビゲーション装置３００とが接続されている。
【００２５】
ＲＦＩＤリーダ１１０は、検出対象となる物品４００に装着された無線タグとしてのＲＦＩＤタグ４１０との間で無線通信を行って、このＲＦＩＤタグ４１０の内蔵メモリに格納されている物品情報を読み取る。例えば、ほぼ矩形形状の水平断面を有する車室内空間の四隅に４つのＲＦＩＤリーダ１１０が設置されている。これにより、車室内空間全体を管理領域とすることが容易となり、車室内に持ち込まれた全ての物品４００を検出することが可能になる。あるいは、ＲＦＩＤリーダ１１０は、車室内空間の天井中央に設置するようにしてもよい。これにより、ＲＦＩＤリーダ１１０の数を減らすとともに広い管理領域を設定することが可能になる。また、ＲＦＩＤリーダ１１０は、車室内空間のみならず、車両のトランク内空間に設置するようにしてもよい。これにより、車室内ばかりでなくトランク内に収納された物品４００も確実に検出することができる。
【００２６】
物品ＤＢ（データベース）１１２は、目的地毎に必要な物品の一覧リストを格納する。ここで、「目的地毎」とは、目的地が属するジャンル毎という意味である。また、ジャンルは、ナビゲーション装置３００を用いた施設検索等におけるジャンルと必ずしも一致する必要はなく、主に必要となる物品が共通になるか否かで判断される。例えば、○○○キャンプ場はジャンル「キャンプ場」に属するが、海や川の近くにあるキャンプ場か山の中にあるキャンプ場かで、必要となる物品を区別する場合にはキャンプ場（海）とキャンプ場（山）という２種類のジャンルに分けるようにしてもよい。
【００２７】
図２は、目的地毎の一覧リストの具体例を示す図であり、ジャンル「キャンプ場」に対応する内容が示されている。この一覧リストには、必要となる物品を特定する物品コードや物品の名称などの物品情報の他に、必要となるこの物品の個数、必須か否か（必要度合いを示す情報に相当する）、ない場合の対処方法（取得方法）などの情報が含まれている。
【００２８】
物品リスト編集部１１４は、物品ＤＢ１１２に格納された目的地毎の一覧リストに対して物品の追加、削除、変更を含む編集処理を行う。物品検出部１１６は、車両の搭乗者が携行する物品４００を検出する処理を行う。この検出処理は、各物品４００に装着されたＲＦＩＤタグ４１０に保持された物品情報をＲＦＩＤリーダ１１０を用いて無線方式で読み取ることにより行われる。検出開始指示部１１８は、物品検出部１１６における検出処理を開始する指示（検出開始指示）を行う。不足物品判定部１２０は、目的地が設定されたときに、物品ＤＢ１１２に格納された一覧リストの中から設定された目的地に対応するものを抽出するとともに、この抽出した一覧リストに含まれる物品の物品情報と、物品検出部１１６によって検出された各物品４００の物品情報とを比較し、一覧リストに含まれる物品の中で物品検出部１１６によって検出されなかった物品４００（不足物品）を判定する。通知部１２２は、不足物品判定部１２０によって不足物品が判定されたときに、所定の通知を行う。例えば、ディスプレイ装置２００の画面上に不足物品リストが提示されこの通知が行われる。このようにリスト表示された不足物品であっても管理対象から除外してもよい場合がある。例えば、キャンプ場に行く場合を例にとると、目的地としてのキャンプ場で他の車両と合流する場合であって、その他の車両がその不足物品を持ってくることになっている場合などである。このような場合には、物品指定部１２４によって不足物品リスト中に一あるいは複数の物品４００を指定して、これらの物品４００を管理対象から削除することができる。この削除内容は物品リスト編集部１１４にも送られており、この削除内容を物品ＤＢ１１２に格納された一覧リストに反映させて一覧リストの内容更新を行うこともできるようになっている。操作部１３０は、搭乗者によって物品管理装置１００に対して各種の操作を行う。この操作部１３０は、物品管理装置１００の筐体の一部に備える場合の他に、ディスプレイ装置２００とタッチパネルを組み合わせて実現するようにしてもよい。
【００２９】
また、図１に示すナビゲーション装置３００は、施設検索処理部３１０、経路探索処理部３１２、経路誘導処理部３１４、操作部３１６を含んで構成されている。施設検索処理部３１０は、設定された検索条件を満たす施設を検索する。例えば、操作部３１６を用いてジャンルが指定された場合には、施設検索処理部３１０は、この指定されたジャンルに属する複数の施設を車両位置から近い順に抽出する。利用者は、このようにして抽出された複数の施設の中から一の施設を操作部３１６を用いて選択することができる。また、操作部３１６を用いて施設名称や電話番号が指定された場合には、施設検索処理部３１０は、指定された施設名称や電話番号によって特定される一の施設を抽出する。施設名称については対応する施設が複数存在する場合があるが、利用者は、これらの複数の施設の中から一つの施設を操作部３１６を用いて選択することができる。
【００３０】
経路探索処理部３１２は、施設検索処理部３１０による検索によって得られた一の施設を経路探索の目的地に設定して、あるいは、その他の方法で指定された施設や位置を経路探索の目的地に設定して、目的地までの最適な走行経路を決定する経路探索処理を行う。経路誘導処理部３１４は、経路探索処理部３１２によって決定された走行経路に沿って車両の走行を案内する経路誘導動作を行う。例えば、表示中の地図上で走行経路を強調したり、右左折交差点が近づいたときに音声出力と交差点拡大図表示が行われる。操作部３１６は、ナビゲーション装置３００に対する各種の操作指示を行うものであり、ナビゲーション装置３００の筐体に備わった各種のキーやスイッチ等で構成される場合の他に、各種のキーを備えたリモコンユニットを用いる場合、ディスプレイ装置２００とタッチパネルとを組み合わせて構成する場合などが考えられる。
【００３１】
上述した物品ＤＢ１１２が目的地別物品リスト格納手段に、ナビゲーション装置３００が目的地設定手段に、物品検出部１１６が物品検出手段に、不足物品判定部１２０が不足物品判定手段に、通知部１２２が不足物品通知手段に、物品指定部１２４、不足物品判定部１２０が物品削除手段に、物品リスト編集部１１４が目的地別物品リスト登録手段に、操作部１３０が操作手段に、ＲＦＩＤリーダ１１０が無線タグ読み取り装置にそれぞれ対応する。また、施設検索処理部３１０が施設検索手段に、経路探索処理部３１２が経路探索手段にそれぞれ対応する。
【００３２】
本実施形態の物品管理システムはこのような構成を有しており、次にその動作を説明する。図３は、本実施形態の物品管理装置１００の動作手順を示す流れ図である。
【００３３】
車両のキースイッチ（図示せず）が操作されて物品管理装置１００の電源が投入されると、まず、物品検出部１１６は、車両走行の目的地が設定されてか否かを判定する（ステップ１００）。本実施形態では、車両走行の目的地はナビゲーション装置３００を操作して設定されるため、ナビゲーション装置３００から設定した目的地の情報が送られてくるか否かを調べることによりこの判定が行われる。あるいは、物品検出部１１６から車両走行の目的地が設定されたか否かを調べる問い合わせをナビゲーション装置３００に対して行うようにしてもよい。目的地が設定されるまで否定判断が行われてステップ１００の判定が繰り返される。
【００３４】
また、目的地が設定されるとステップ１００の判定において肯定判断が行われ、次に、物品検出部１１６は、ＲＦＩＤリーダ１１０を用いてその通信範囲内に存在するＲＦＩＤタグ４１０の物品情報の読み取りを行い（ステップ１０１）、これらのＲＦＩＤタグ４１０が装着された物品４００を特定する（ステップ１０２）。
【００３５】
次に、不足物品判定部１２０は、物品ＤＢ１１２から目的地に対応して必要となる物品の一覧リストを読み出し（ステップ１０３）、この一覧リストに含まれる物品４００と物品検出部１１６によって特定された物品４００を比較して、不足している物品４００があるか否かを判定する（ステップ１０４）。不足している物品４００がある場合には肯定判断が行われ、次に、通知部１２２は、その不足物品のリストをディスプレイ装置２００の画面に表示して（ステップ１０５）、搭乗者に対する通知（警告）を行う。
【００３６】
図４は、表示される不足物品リストの具体例を示す図であり、例えば○○○キャンプ場が目的地として設定された場合の例が示されている。図４に示すように、不足物品リストには、不足している物品の名称（物品名）と不足数とこの物品の取得するための対処方法とが含まれている。
【００３７】
不足物品判定部１２０は、通知部１２２による不足物品リストの表示動作と並行して、リスト表示された物品の中で管理対象から除外する物品４００が指定されて削除指示が行われたか否かを判定する（ステップ１０６）。不足物品リストには含まれるが、利用者自身が不要であると考える物品４００もあり、このようなときには利用者によって操作部１３０が操作されて削除指示が行われる。この場合には肯定判断が行われ、次に、不足物品判定部１２０は、操作部１３０の操作内容にしたがって不足物品リストの中の削除対象となる物品を指定して削除処理を実施する（ステップ１０７）。次に、不足物品判定部１２０は、残りの不足物品が存在するか否かを判定し（ステップ１０８）、存在する場合には肯定判断を行った後、不足物品の取得指示が行われたか否かを判定する（ステップ１０９）。
【００３８】
不足物品がない最初からない場合（ステップ１０４の判定において否定判断）、不足物品があったが削除したためになくなった場合（ステップ１０８の判定において否定判断）、不足物品の取得指示が行われなかった場合（ステップ１０９の判定において否定判断）のいずれかに該当する場合には、次に、不足物品判定部１２０は、目的地までの経路探索をナビゲーション装置３００に指示する（ステップ１１０）。この指示を受けて、ナビゲーション装置３００内の経路探索処理部３１２は経路探索処理を行い、経路誘導処理部３１４はその結果得られた走行経路に沿って車両の走行を案内する経路誘導動作を実施する。
【００３９】
また、残った不足物品を取得する指示がなされた場合にはステップ１０９の判定において肯定判断が行われ、次に、不足物品判定部１２０は、不足物品を取り扱う施設（不足物品を販売あるいはレンタルする施設）を経由地に設定する指示をナビゲーション３００に送信する（ステップ１１１）。この指示を受けて、ナビゲーション装置３００内の施設検索処理部３１０は不足物品を取り扱う施設を検索し、経路探索処理部３１２はこの施設を経由地として目的地までの走行経路を経路探索処理によって決定し、さらに経路誘導処理部３１４はこの決定された走行経路に沿って車両の走行を案内する経路誘導動作を実施する。なお、上述した説明では不足物品を取り扱う施設を施設検索処理部３１０によって検索するためには、あらかじめ不足物品とこの物品を購入あるいはレンタルすることができる施設とを対応付けた情報が必要となる。例えば、不足物品が指定されたときに対応する施設を検索するためには、この不足物品を購入する施設のジャンル（例えば、コンビニエンスストアやホームセンター等）や、この不足物品をレンタルする施設のジャンル（例えば、レンタルショップ）を知る必要がある。このような対応付け情報は、施設検索処理部３１０に保持しておいてもよいが、物品ＤＢ１１２格納されている物品の一覧リストに含ませておいてステップ１１１の動作を行う際に不足物品判定部１２０がこの情報を読み出してナビゲーション装置３００に送るようにしてもよい。これにより、ナビゲーション装置３００内の施設検索処理部３１０の処理内容を変える必要がなくなる。
【００４０】
ところで、物品ＤＢ１１２に格納されている物品の一覧リストは、利用者の家族構成等に応じて必要な物品やその個数が変更できれば便利であり、次に、物品の一覧リストの内容を編集する動作について説明する。
【００４１】
図５は、物品の一覧リストを編集する動作手順を示す流れ図である。物品リスト編集部１１４は、利用者によって操作部１３０が操作されて編集指示がなされたか否かを判定しており（ステップ２００）、編集指示が行われない場合には否定判断を行ってこの判定を繰り返す。また、編集指示が行われた場合にはステップ２００の判定において肯定判断が行われ、次に、物品リスト編集部１１４は物品ＤＢ１１２から物品の一覧リストの読み出しを行う（ステップ２０１）。なお、図２に示したように、物品の一覧リストは、目的地のジャンル毎に作成されているため、上述した一覧リストの読み出しでは、あらかじめ利用者によって目的地のジャンルが指定され、対応する物品の一覧リストが読み出される。
【００４２】
次に、物品リスト編集部１１４は、利用者が操作部１３０を操作した内容に基づいて、読み出された一覧リストに対する編集処理を行う（ステップ２０２）。例えば、図２に示す例では、物品自体の削除や追加の他に、個数の変更、必須である旨（○印）の削除や追加、対処方法としての「レンタル、購入、他」の指定変更が編集処理によって行われる。このような編集処理が終了すると、次に、物品リスト編集部１１４は、編集後の内容を用いてこの物品の一覧リストを更新するか否かを判定する（ステップ２０３）。更新の指示が操作部１３０を操作して利用者によってなされると肯定判断が行われ、物品リスト編集部１１４は、物品ＤＢ１１２に格納された物品の一覧リストの内容を更新する（ステップ２０４）。なお、この物品の一覧リストの内容更新には、目的地のジャンルを新たに指定してこのジャンルに対応する物品の一覧リストを新規に追加登録する処理も含まれる。このようにして物品の一覧リストの編集処理が終了する。また、更新が中止された場合（この指示も操作部１３０を操作して利用者によってなされる）にはステップ２０３の判定において否定判断が行われ、物品の一覧リストの内容が更新されずに編集処理が終了する。
【００４３】
このように、設定された目的地に対応して必要となる物品について、その時点で利用者が携帯している物品や車両に持ち込んだ物品で不足しているものがチェックされ、不足物品がある場合には通知が行われるため、利用者自身が目的地に対応してどのような物品が必要か、その時点で車両に持ち込むことを忘れている物品はないかなどをいちいち調べる必要がなく、煩雑な作業を行うことなく必要な物品の確認を容易かつ確実に行うことができる。
【００４４】
また、通知部１２２は不足物品リストを表示して通知を行っているため、利用者は、不足物品リストを見るだけで何が不足しているかを知ることができ、リストと実際に車両に搭載された物品とを照合する手間を省くことができる。また、表示される不足物品リストには、必要度合いを示す情報として必須か否かが示されており、不足物品が多数存在する場合に優先的に揃える必要のある物品の抽出が容易となる。
【００４５】
また、不足物品リストに含まれる各物品の中で不必要なものを指定して、この指定された物品を不足物品リストの中から削除することができるため、不足物品と判定された場合であってもその中で不要なものを削除して通知されたリストから取り除くことができる。
【００４６】
また、物品リスト編集部１１４を用いることにより、目的地に応じて一覧リストを追加登録することが可能になり、目的地が増えた場合にも不足物品を確認することが可能になる。特に、物品リスト編集部１１４は、操作部１３０の操作内容に基づいて、物品の一覧リストに対する物品の追加、削除、変更を含む編集を行っているため、目的地毎に必要な物品を追加したり不要な物品を削除して、利用者毎の利用計画等を反映した一覧リストを作成することが可能になり、通知内容の精度を高めることができる。
【００４７】
また、物品に装着されたＲＦＩＤタグ４１０に保持された物品情報を無線方式でＲＦＩＤリーダ１１０を用いて読み取ることにより、車内に持ち込まれた各物品を取り出すことなく物品情報を自動的に読み取ることが可能になり、物品情報を読み取る際の手間を省くことができる。また、目的地が設定された時点で物品の検出を行うことにより、目的地に応じて適切かつ迅速に物品の検査を行うことできる。
【００４８】
また、ナビゲーション装置３００の施設検索処理部３１０によって検索された施設を、物品検出用の目的地として用いることにより、複雑な操作を行うことなく所望の目的地を容易に設定することができる。あるいは、ナビゲーション装置３００の経路探索処理部３１２によって用いられる経路探索用の目的地を物品検出用の目的としても使用することにより、別々に目的地設定を行う必要がなくなるため、設定操作を簡略化することができる。
【００４９】
なお、本発明は上記実施形態に限定されるものではなく、本発明の要旨の範囲内において種々の変形実施が可能である。上述した実施形態では、ナビゲーション装置３００によって物品検索に必要な目的地の設定がなされる場合を説明したが、この目的地は、ナビゲーション装置３００において経路探索を行う際に設定される目的地をそのまま用いる場合の他に、経路探索を行わない場合には施設検索を行って抽出された一の施設を物品検索に必要な目的地として扱う場合が考えられる。
【００５０】
また、上述した実施形態では、目的地が設定されたときに物品の検出動作が開始されるようにしたが、目的地を設定した時点ではなく、あるいは目的地を設定した時点に追加して、車両走行開始時に物品の検出を行うようにしてもよい。
【００５１】
図６は、目的地設定時点と車両走行開始時点の両方のタイミングで不足物品の検出を行う場合の動作手順を示す流れ図であり、図３に示す動作手順と異なる一部の動作手順のみが示されている。具体的には、走行車両の目的地が設定されずにステップ１００の判定において否定判断が行われたときに、物品検出部１１６は、車両の走行開始か否かを判定する（ステップ１１２）。車両が走行を開始しない場合には否定判断が行われステップ１００に戻って目的地設定の有無判定が繰り返される。また、車両が走行を開始した場合にはステップ１１２の判定において肯定判断を行った後に、物品検出部１１６は、ナビゲーション装置３００を用いて既に目的地が設定されているか否かを判定する（ステップ１１３）。目的地設定がなされていない場合には否定判断が行われステップ１００に戻って目的地設定の有無判定が繰り返される。また、目的地設定がなされている場合にはステップ１１３の判定において肯定判断が行われ、ステップ１０１に移行してＲＦＩＤタグ４１０の読み取り以降の処理が行われる。このように、車両走行開始時にも不足物品の検出を行うことにより、車両が停車して再度走行を開始する毎に物品の検出が行われて不足物品が判定されるため、目的地に達するまでの経由地等での物品の置き忘れを防止することができる。
【００５２】
また、上述した実施形態では、不足物品リストを表示してその一部あるいは全部の物品を管理対象から除外する指示が行われたときに（図３のステップ１０６の判定において肯定判断）、表示された不足物品リストから該当する物品を削除したが、この削除内容を物品ＤＢ１１２に格納されている物品の一覧リストの内容に反映させるようにしてもよい。この場合には、図３に示すステップ１０７とステップ１０８の間に、物品リスト編集部１１４によって、削除内容の基づいて物品ＤＢ１１２の物品の一覧リストの内容を編集する動作に対応するステップを挿入すればよい。これにより、次回から不要な物品を一覧リストから取り除くことができるため、不必要な通知をなくしてその通知内容を確認する際の手間を低減することが可能になる。
【００５３】
また、上述した実施形態では、図４に示したように、不足物品リストには物品名、不足数、対処方法を含ませたが、それぞれの不足物品を取得可能な施設を特定する施設情報（例えば店舗名や所在地等）を含ませるようにしてもよい。但し、不足物品を取得可能な最も近い施設を表示する場合には、この施設をナビゲーション装置３００の施設検索処理部３１０によって検索し、その検索結果を不足物品リストの内容に反映させる必要がある。
【図面の簡単な説明】
【００５４】
【図１】一実施形態の物品管理システムの全体構成を示す図である。
【図２】目的地毎の一覧リストの具体例を示す図である。
【図３】本実施形態の物品管理装置の動作手順を示す流れ図である。
【図４】表示される不足物品リストの具体例を示す図である。
【図５】物品の一覧リストを編集する動作手順を示す流れ図である。
【図６】目的地設定時点と車両走行開始時点の両方のタイミングで不足物品の検出を行う場合の動作手順を示す流れ図である。
【符号の説明】
【００５５】
１００  物品管理装置
１１０  ＲＦＩＤリーダ
１１２  物品ＤＢ（データベース）
１１４  物品リスト編集部
１１６  物品検出部
１１８  検出開始指示部
１２０  不足物品判定部
１２２  通知部
１２４  物品指定部
１３０、３１６  操作部
２００  ディスプレイ装置
３００  ナビゲーション装置
３１０  施設検索処理部
３１２  経路探索処理部
３１４  経路誘導処理部
４００  物品
４１０  ＲＦＩＤタグ
【図１】
2006052044.tif 000003
【図２】
2006052044.tif 000004
【図３】
2006052044.tif 000005
【図４】
2006052044.tif 000006
【図５】
2006052044.tif 000007
【図６】
2006052044.tif 000008